(57)【要約】　　　（修正有）【課題】転写プリントされた衣服と共に伸縮する熱転写アップリケシートを提供する。【解決手段】熱転写シート５０Ａは、離型シート５８上に、アップリケの文字・図形のシルエット形状にアップリケ５１が形成され、その表面を保護するリタックフィルム５３が覆うようにされている。被転写物（生地）に転写する際は、離型シート５８を剥がして、アップリケ５１を転写部分に載せ、リタックフィルム５３の上から加熱圧着することにより転写するもので、前記アップリケ５１が、分断メッシュ６０により分断されたアップリケ単体５１ａの集合とされて図柄を形成している。この実施の形態では、アップリケ単体５１ａは矩形の網目であるが、円、楕円、或いは多角形の網目であってもよい。【選択図】　　　　　図３
0003097854.tif 000002
【実用新案登録請求の範囲】
【請求項１】
衣服等の布製品（被転写物）に所望の形状のアップリケを転写する熱転写シートであって、該アップリケの図柄画像層面に配置され、被転写物に押圧・加熱されることにより図柄画像層と被転写物を接着する感熱接着剤層が、網目状に分断されて図柄画像層面に配置されていることを特徴とする熱転写アップリケシート。
【請求項２】
前記網目状に分断された感熱接着剤層は、円形又は多角形の網目形状、或いは円形又は多角形の網目の切り抜き模様形状に形成されていることを特徴とする請求項１記載の熱転写アップリケシート。
【請求項３】
所定寸法の離型シートと、アップリケの文字・図形のシルエット図柄形状に離型シート上面に塗布して配置された感熱接着剤（ホットメルト接着剤）層と、感熱接着剤層の上面に塗布された短繊維接着剤層と、静電植毛法により短繊維接着剤層に植毛された短繊維層と、短繊維層の上面に着色された図柄画像層と、該図柄画像層が形成された短繊維層の上面に仮着された加熱により粘着性を失うリタックフィルムとから構成され、前記離型シートを剥がして感熱接着剤（ホットメルト接着剤）層を被転写対象に載せ、前記リタックフィルム側から加熱して、衣服等の布製品に所望の形状のアップリケを転写する熱転写シートであって、
前記シルエット図柄形状の感熱接着剤（ホットメルト接着剤）層が、網目状に分断、或いは網目の切り抜き模様で空隙が形成されていることを特徴とする請求項１又は２記載の熱転写アップリケシート。
【請求項４】
前記シルエット図柄形状の感熱接着剤（ホットメルト接着剤）層及びその上部の、短繊維接着剤層、短繊維層、図柄画像層が、所定寸法の網目状に分断されたアップリケ単体の集合で構成されていることを特徴とする請求項３記載の熱転写アップリケシート。
【考案の詳細な説明】
【０００１】
【考案の属する技術分野】
本考案は、衣服にアップリケを転写プリントする熱転写アップリケシートに関し、詳しくは、衣服の伸縮に応答して伸縮するアップリケシートに関する。
【０００２】
【従来の技術】
図５は従来の熱転写アップリケを示す模式図である。図５（ａ）に示すように離型処理を施された台紙である離型シート５８の上に図柄画像層５４を形成し、図柄画像層５４の上に熱溶解性の接着剤である感熱接着剤層５７を刷り重ねたものが知られている。
【０００３】
図５（ｂ）は、感熱接着剤層５７を被転写物（生地）６２面に当て、離型シート５８（台紙）側から１８０℃ほどの温度と圧力を熱源（加熱プレス）６１で１０から１５秒ほどかける転写工程を示す。図５（ｃ）は、転写後に離型シート５８（台紙）を剥がした状態を示し感熱接着剤層５７が溶けて被転写物（生地）６２に浸透して図柄画像層５４が生地に固着される。
【０００４】
このとき、図柄画像層５４と感熱接着剤層５７の間に伸縮性のある接着層を設ける場合もあるが、いずれの場合でも、被服などの生地が伸縮性を有するものである一方、アップリケされた部分は伸縮性が失われる問題があった。
【０００５】
また、従来熱転写式アップリケを植毛層で形成する事が知られている。特許文献１は、離型性基材上に図柄状感熱型接着剤層を仮着し、その上面に強力な接着力と伸縮性を有する植毛用の接着剤層を設け、静電植毛法などにより短繊維を植毛し、その短繊維に着色或いは装飾部材を接着し、最後に短繊維層の表面に感熱剥離性のあるマスキングフィルムを載せて、短繊維の図柄を保持させ離型性基材を剥がすことにより感熱型接着層を露出させ、衣料などの被転写物に載せ、マスキングフィルム上から加熱・加圧することにより感熱型接着層が衣料に接着されるものである。
【０００６】
この構成のアップリケは、着色或いは装飾部材が植毛層の表面になされるためムラのない絵柄を得ることができ、感熱接着層が下面に備えられるため、感熱接着剤層を図柄のシルエットとして複雑で離間した図柄のアップリケを作成することができる利点があった。しかし、この方法で作成されたアップリケは、植毛用の接着層で図柄シルエットが硬く伸縮性がないため、転写プリントした衣類の伸縮を阻害してしまう問題があった。
【０００７】
すなわち、転写プリントした部分は、衣類の伸びができなくなるため、着用時に窮屈となり、皺ができてしまう問題があった。
【０００８】
【特許文献１】
特開平５−１７７９９６号公報（第２、３、４頁、第９図）
【０００９】
【考案が解決しようとする課題】
本考案は前述の問題点に鑑みてなされたもので、転写プリントされた衣服と共に伸縮する熱転写アップリケシートを提供することを課題とする。
【００１０】
【課題を解決するための手段】
前記課題を解決するため、本考案の熱転写アップリケシートは、衣服等の布製品（被転写物）に所望の形状のアップリケを転写する熱転写シートであって、該アップリケの図柄画像層面に配置され、被転写物に押圧・加熱されることにより図柄画像層と被転写物を接着する感熱接着剤層が、網目状に分断されて図柄画像層面に配置されていることを特徴とする。
【００１１】
この考案によれば、アップリケの図柄画像層が、網目状に分断されて被転写物に固着されるため、被転写物の生地の伸縮に追従して図柄画像も伸縮することが可能となる。このため、従来アップリケ部分が引きつるための着用不快感をなくすことができる。
【００１２】
また、前記網目状に分断された感熱接着剤層は、円形又は多角形の網目形状、或いは円形又は多角形の網目の切り抜き模様形状に形成されていることを特徴とする。
【００１３】
この考案によれば、アップリケの図柄及び転写対象の生地の特性に応じた網目を用いることができる。この加工は、感熱接着剤層の塗布、捺染、或いは印刷時に、網目状のスクリーン或いは、網目切り抜き模様のスクリーンを図柄画像に施すことで容易に行うことができる。
【００１４】
また、所定寸法の離型シートと、アップリケの文字・図形のシルエット図柄形状に離型シート上面に塗布して配置された感熱接着剤（ホットメルト接着剤）層と、感熱接着剤層の上面に塗布された短繊維接着剤層と、静電植毛法により短繊維接着剤層に植毛された短繊維層と、短繊維層の上面に着色された図柄画像層と、該図柄画像層が形成された短繊維層の上面に仮着された加熱により粘着性を失うリタックフィルムとから構成され、前記離型シートを剥がして感熱接着剤（ホットメルト接着剤）層を被転写対象に載せ、前記リタックフィルム側から加熱して、衣服等の布製品に所望の形状のアップリケを転写する熱転写シートであって、
前記シルエット図柄形状の感熱接着剤（ホットメルト接着剤）層が、網目状に分断、或いは網目の切り抜き模様で空隙が形成されていることを特徴とする。
【００１５】
この考案によれば、感熱接着剤（ホットメルト接着剤）層が、網目状に分断されているため、短繊維層に着色デザインされたアップリケであっても被転写物（生地）の伸縮に対応した伸縮性を有するアップリケを得ることができる。また、この考案によれば、図柄画像層が表面に配置されるため、浮き出した鮮明なアップリケを得ることができる。
【００１６】
また、前記シルエット図柄形状の感熱接着剤（ホットメルト接着剤）層及びその上部の、短繊維接着剤層、短繊維層、図柄画像層が、所定寸法の網目状に分断されたアップリケ単体の集合で構成されていることを特徴とする。
【００１７】
この考案によれば、感熱接着剤（ホットメルト接着剤）層に加えて、その上部の短繊維接着剤層、短繊維層、図柄画像層も網目状に分断されているため、さらにアップリケの伸縮性を高くすることができる。
【００１８】
【考案の実施の形態】
本考案の実施の形態を図を用いて詳細に説明する。図１は本考案の第１の実施の形態の熱転写シート５０の断面を示す模式図である。図１は、熱転写シート５０の図柄画像のある部分の断面拡大を示す。
【００１９】
図１に示す熱転写シート５０は、台紙５８ｂの表面に離型剤５８ａが塗布された離型シート５８に、図柄画像層５４を形成し、図柄画像層５４を保持するための伸縮性を有する樹脂層５９で覆い、その上に、網目状に分断された感熱接着剤層５７が形成されている。
【００２０】
図２は、本考案の感寝て接着剤層の平面図を示し、（ａ）は、６角網目、（ｂ）は矩形網目、（ｃ）は円形網目の実施形態を示す。（ｄ）、（ｅ）、（ｆ）は、網目の切り抜き模様形状の実施の形態を示す。（ａ）、（ｂ）、（ｃ）で感熱接着剤層５７は、上下左右が分断メッシュ６０により切り離されている。（ｄ）、（ｅ）、（ｆ）で感熱接着剤層５７は、メッシュ空隙６０ａで分断されている。この分断メッシュ６０、或いはメッシュ空隙６０ａにより、アップリケの伸縮を可能としている。網目は矩形、多角形或いは、円、楕円であってもよい。
【００２１】
感熱接着剤層５７を網目状にするには、感熱接着剤を塗布、捺染する際に、メッシュを介して分断部を形成するか、シルク印刷或いは接着剤印刷の原版に予めメッシュ分断の区画線（区画模様）を描いておくことにより容易に行うことができる。
【００２２】
次に本考案の第２の実施の形態を図３及び図４を用いて説明する。図３（ａ）は本考案の熱転写シート５０Ａの平面図、（ｂ）は（ａ）のＡ−Ａ断面図である。
【００２３】
図３（ａ）に示す熱転写シート５０Ａは、離型シート５８上に、アップリケの文字・図形のシルエット形状にアップリケ５１が形成され、その表面を保護するリタックフィルム５３が覆うようにされている。被転写物（生地）に転写する際は、離型シート５８を剥がして、アップリケ５１を転写部分に載せ、リタックフィルム５３の上から加熱圧着することにより転写するものである。
【００２４】
この考案の特徴は、前記アップリケ５１が、分断メッシュ６０により分断されたアップリケ単体５１ａの集合とされて図柄を形成していることにある。この実施の形態では、アップリケ単体５１ａは矩形の網目であるが、円、楕円、或いは多角形の網目であってもよい。
【００２５】
図４は、第２の実施の形態の熱転写シート５０Ａの断面図である。この実施の形態は、離型シート５８上面に塗布して配置された感熱接着剤（ホットメルト接着剤）層５７と、感熱接着剤層５７の上面に塗布された短繊維接着剤層５６と、静電植毛法により短繊維接着剤層５６に植毛された短繊維層５５と、短繊維層５５の上面に着色された図柄画像層５４と、該図柄画像層５４が形成された短繊維層５６の上面に仮着された加熱により粘着性を失うリタックフィルム５３とから構成され、前記離型シート５８を剥がして感熱接着剤（ホットメルト接着剤）層５７を被転写対象に載せ、前記リタックフィルム５３側から加熱して、衣服等の布製品に所望の形状のアップリケを転写する熱転写シートである。
【００２６】
この考案では、前記シルエット図柄形状の感熱接着剤（ホットメルト接着剤）層５７及びその上部の、短繊維接着剤層５６、短繊維層５５、図柄画像層５４が、所定寸法の網目状に分断されたアップリケ単体５１ａの集合で構成されている。
【００２７】
このため、被転写物（生地）に対してアップリケが転写されても、アップリケが分断されているため生地の伸縮に対応することができる。
【００２８】
感熱接着剤（ホットメルト接着剤）層５７のみを網目状に分断するだけであっても、短繊維接着剤層５６に伸縮性のある材料を用いれば同様の効果を実現することができる。
【００２９】
また、分断メッシュの幅を大きくすれば、より伸縮自在性を向上させることができる。反面、幅を大きくすれば細密な図柄の表現力が低下するので、図柄及び転写対象生地に応じた網目の寸法、幅を選定する。
【００３０】
【考案の効果】
本考案によれば、被転写物（生地）の伸縮に対応して伸縮可能な熱転写アップリケを提供することができる。このため、熱転写アップリケを転写した衣服を着用した時の引きつり、皺が発生しない。
【図面の簡単な説明】
【図１】本考案の第１の実施の形態の熱転写シートの断面図である。
【図２】本考案の感熱接着剤層の網目の平面図で、（ａ）は８角網目、（ｂ）は４角網目、（ｃ）は円形網目を示す。
【図３】本考案の第２の実施の形態の熱転写アップリケシートを示し、（ａ）は平面図、（ｂ）は、（ａ）のＡ−Ａ断面図である。
【図４】本考案の第２の実施の形態の熱転写シートの断面図である。
【図５】従来の熱転写シートを示し、（ａ）は断面図、（ｂ）は熱転写工程の断面図、（ｃ）は転写後の断面図である。
【符号の説明】
５０、５０Ａ　　熱転写シート
５１　　アップリケ
５１ａ　アップリケ単体
５３　　リタックフィルム
５４　　図柄画像層
５５　　短繊維層
５６　　短繊維接着剤層
５７　　感熱接着剤層
５８　　離型シート
５８ａ　離型剤
５８ｂ　離型台紙
５９　　樹脂層
６０　　分断メッシュ
６０ａ　メッシュ空隙
６１　　熱源（加熱プレス）
６２　　被転写物（生地）
【図１】
0003097854.tif 000003
【図２】
0003097854.tif 000004
【図３】
0003097854.tif 000005
【図４】
0003097854.tif 000006
【図５】
0003097854.tif 000007